(57)【要約】  【課題】消費者の購買意欲を喚起すると共に、該消費者の再販意欲を促進する。  【解決手段】会員として入会した親会員１は予め定められた金額分の商品を購入し、一定の人数の会員を紹介して子会員２，３を入会させる。更に、該子会員２，３は紹介により一定の人数の孫会員４，５，６，７を入会させると共に、該子会員２，３及び孫会員４，５，６，７が予め定められた金額まで商品を購入したことにより前記紹介した親会員１に無償にて商品が提供される。また、該親会員１は商品が無償提供されることにより退会され、更に、該親会員１の子会員２，３及び孫会員４，５，６，７は一定人数に制限され、且つ、該退会した会員は再度入会できるようにした。【選択図】図１
2008026983.tif 000002
【特許請求の範囲】
【請求項１】
会員として入会することにより商品を購入できるシステムであって、親会員は入会して予め定められた金額まで商品を購入する手順と、更に、一定の人数の会員を紹介して子会員を入会させる手順と、該子会員は紹介により一定の人数の孫会員を入会させる手順と、該子会員及び孫会員が夫々予め定められた金額まで商品を購入することにより前記紹介した親会員に無償にて商品が提供されると共に、該親会員は商品が無償提供されることにより退会する手順と、更に、該親会員の子会員及び孫会員は一定人数に制限され、且つ、該退会した会員は再度入会できる手順との組み合せから成ることを特徴とする商品購入システム。
【発明の詳細な説明】
【技術分野】
【０００１】
本発明は商品の購入システムに関するものであり、特に、一定の会員を紹介して入会させ、該会員が商品を購入することにより、無償にて親会員に商品を提供するように構成された商品購入システムに関するものである。
【背景技術】
【０００２】
従来此種商品購入システムは嘗て存在しない。会員になることにより様々の得点を獲られ、商品を購入できるような仕組みは提供されている。例えば、会員になって商品を購入することによりポイントが加算され、該ポイントにより商品を割引購入できるようなポイントシステムが提供されている。
【発明の開示】
【発明が解決しようとする課題】
【０００３】
上記従来のポイントシステムは、会員にポイントを提供することにより購入意欲を喚起させると共に、会員の囲い込みにより再度購入する際に他社での購入を防止して自社にてリピートオーダーを獲得するために採用されている。
【０００４】
しかし、ポイントシステムは多くの企業にて採用され、商品の購入意欲の喚起及び差別化に対する効果が低減されてきている。そこで、消費者に購買意欲を喚起すると共に、消費者への再販率を向上するために解決すべき技術的課題が生じてくるのであり、本発明はこの課題を解決することを目的とする。
【課題を解決するための手段】
【０００５】
本発明は上記目的を達成するために提案されたものであり、会員として入会することにより商品を購入できるシステムであって、親会員は入会して予め定められた金額まで商品を購入し、且つ、一定の人数の会員を紹介して子会員を入会させると共に、該子会員は紹介により一定の人数の孫会員を入会させ、該子会員及び孫会員が夫々予め定められた金額まで商品を購入することにより前記紹介した親会員に無償にて商品が提供されると共に、該親会員は商品が無償提供されることにより退会され、更に、該親会員の子会員及び孫会員は一定人数に制限され、且つ、該退会した会員は再度入会できるようにした商品購入システムを提供するものである。
【０００６】
この構成によれば、消費者は、入会して商品を購入する。そして、一定の子会員、孫会員を紹介して入会させると共に、該子会員及び孫会員がそれぞれ予め定められた金額まで商品を購入することにより、該親会員に一定の商品が提供される。
【発明の効果】
【０００７】
本発明は、会員として入会して商品を一定の金額購入し、該会員は会員を紹介して入会させることにより親会員となる。そして、一定の人数の子会員及び孫会員を入会させると共に、該子会員及び孫会員が商品を所定の金額まで購入することにより、当該親会員に商品が無償で提供されるので、消費者は購買意欲を喚起される。本発明の各手順はコンピュータに実行させることができる。
【０００８】
また、親会員は商品の無償提供を受領したことにより退会しなければならないので、再度入会して子会員及び孫会員を再び入会させれば、再度無償で商品が提供される。従って、繰り返し入会して商品の購入を促進することができると共に、消費者への商品の再販意欲を高めることができる。
【発明を実施するための最良の形態】
【０００９】
本発明は、消費者の購買意欲を喚起すると共に、消費者の再販率を向上する目的を、会員として入会することにより商品を購入できるシステムであって、親会員は入会して予め定められた金額まで商品を購入する手順と、更に、一定の人数の会員を紹介して子会員を入会させる手順と、該子会員は紹介により一定の人数の孫会員を入会させる手順と、該子会員及び孫会員が夫々予め定められた金額まで商品を購入することにより前記紹介した親会員に無償にて商品が提供されると共に、該親会員は商品が無償提供されることにより退会する手順と、更に、該親会員の子会員及び孫会員は一定人数に制限され、且つ、該退会した会員は再度入会できる手順との組み合せから成ることを特徴とする商品購入システムを提供したことにより実現した。
【実施例】
【００１０】
以下、本発明の好適な一実施例を図1及び図２に従って説明する。本一実施例においては、メッセージクラブという会員クラブの名称を使用するものとする。
【００１１】
図において、１はメッセージクラブに入会した会員を示し、該会員１は入会することにより該メッセージクラブより日曜品や化粧品或いは健康食品等の商品を購入することができる。このときは、入会料、会員登録料は無料であると共に、商品を選択して例えば、１２，６００円分購入する。そして、友人等を紹介して２名の子会員之等を入会させる。２名の子会２，３を入会させることにより、親会員１の紹介による入会は終了する。
【００１２】
次に、子会員２，３の紹介により孫会員４，５，６，７が入会することにより、親会員１に属する子会員２，３及び孫会員４，５，６，７は制限され、該孫会員４，５，６，７の紹介により会員８，８…が入会した際においても、該親会員１のグループには属さないように設定している。即ち、親会員１のグループは子会員２．３及び孫会員４，５，６，７の二階層までの６名に制限される。
【００１３】
更に、一人の該子会員２，３或いは孫会員４，５，６，７が商品を選択して１２，６００円を購入することにより、該親会員１には１ポイントが付与され、６名全員の子会員２，３及び孫会員４，５，６，７が商品を夫々１２，６００円購入すると親会員１には６ポイント付与される。そして、該親会員１に６ポイントが付与されることにより、該親会員1には１２，６００円の２回分、即ち、２５，２００円分の商品が無償で提供される。
【００１４】
なお、該商品のプレゼントが終了した時点より３ヶ月で退会され非会員となるが、この間は商品を３０％の割引にて購入することができる。また、この３ヶ月を待つことはなく退会して再入会することもできる。然し、子会員２，３及び孫会員４，５，６，７が一人でも１２，６００円分の商品の購入に至らなかった場合には、親会員１には無償の商品の提供はされることはない。
【００１５】
また、図２に示すように、従来メーカ９から一次問屋１０二次問屋１１を介して小売店１２に流通された商品を消費者１３が購入していたことを、本メッセージクラブ１４においては、メーカ９等より直接購入して商品の流通経路を削減している。更に、従来要していた営業経費及び広告宣伝費を削減して消費者の紹介により商品の販売を促進することができるので、該営業経費及び広告宣伝費を消費者に還元することができる。
【００１６】
従って、消費者は、該メッセージクラブ１４に入会して商品を購入すると共に、子会員２，３及び孫会員４，５，６，７を入会させて商品を購入してもらうことにより、該消費者へ削減された流通経費及び営業経費並びに広告宣伝費が還元されて２５，２００円分の商品が無償にて提供されるので、消費者は購買意欲を喚起されると共に、当該メッセージ
クラブ１４に再度入会して繰り返し商品の購入をする消費者の再販意欲を促進することができる。
【００１７】
なお、本発明は、本発明の精神を逸脱しない限り種々の改変をなすことができ、そして、本発明が該改変されたものにも及ぶことは当然である。
【図面の簡単な説明】
【００１８】
【図１】本発明の一実施例を示し、メッセージクラブの相関図。
【図２】商品の流通経路図。
【符号の説明】
【００１９】
１        親会員
２        子会員
３        子会員
４        孫会員
５        孫会員
６        孫会員
７        孫会員
８        会員
１３        消費者
１４        メッセージクラブ
【図１】
2008026983.tif 000003
【図２】
2008026983.tif 000004